(57)【要約】マルチセグメント疑似ワイヤの障害検知、報告、メンテナンス折衝制御方法は、従来技術における問題、すなわち、マルチセグメント疑似ワイヤの障害検知および終端間メンテナンスを行うことができず、装置の性能に応じて対応するメンテナンス方法を柔軟に選択することができないという問題を解決する。検知方法において、始端ノードによって送信された終端間検知メッセージは、切り替えノードがトランスペアレントに終端ノードへ送信する。これにより、終端間検知を実現できる。上記障害を報告する方法においては、障害が検知されたときに、切り替えノードが、障害情報を保持する障害通知メッセージを下流側へトランスペアレントに送信する。メンテナンス折衝制御方法においては、障害検知情報および障害報告性能情報が上記マルチセグメント疑似ワイヤの確立時に作成されたメッセージ内に保持され、これにより、端末は、最終的にサポートされた性能に応じて、所定のポリシーにあったメンテナンス方法を柔軟に選択することができる。
2008532444.tif 000002
【特許請求の範囲】
【請求項１】
マルチセグメント疑似ワイヤのための終端間障害検知方法であって、
所定のトリガー条件に基づきまたは所定の時間までに、マルチセグメント疑似ワイヤ（ＭＳ―ＰＷ）の第１の終端プロバイダ装置（Ｕ−ＰＥ１）が、終端間ＭＳ−ＰＷ障害検知メッセージを送信するステップと、
各切り替えＰＥ（Ｓ−ＰＥ）が、該終端間障害通知検知メッセージを受信し、下流側へ順々にトランスペアレントに送信するステップと、
第２の終端プロバイダ装置（Ｕ−ＰＥ２）が、上記所定のトリガー条件に基づきまたは所定の時間までに送信された上記終端間障害検知メッセージが受信されたかどうかを判断し、上記終端間障害検知メッセージを受信していた場合、上記ＭＳ−ＰＷは正常に動作していると判断し、上記終端間障害検知メッセージを受信していない場合、上記ＭＳ−ＰＷに障害が起こっていると判断するステップとを含む障害検知方法。
【請求項２】
前記終端間障害検知メッセージは、受信したメッセージが終端間障害検知メッセージであるかどうかを識別するために各Ｓ−ＰＥまたはＵ−ＰＥ２によって使われる第１の識別情報を含む、請求項１に記載の方法。
【請求項３】
マルチセグメント疑似ワイヤのための終端間障害検知方法であって、
マルチセグメント疑似ワイヤ（ＭＳ−ＰＷ）のＵ−ＰＥ１が、終端間ＭＳ−ＰＷ障害検知メッセージを送信するステップと、
Ｓ−ＰＥが、上記終端間障害検知メッセージを受信し、下流側の第２の終端プロバイダ装置（Ｕ−ＰＥ２）へ順々に該終端間障害通知検知メッセージをトランスペアレントに送信するステップと、
Ｕ−ＰＥ２が、上記終端間障害検知メッセージが受信した際に、Ｕ−ＰＥ１へ返信メッセージを返すステップと、
Ｕ−ＰＥ１が、上記終端間障害検知メッセージの返信時間を監視し、上記返信メッセージが返信時間を超える前に受信された場合、ＭＳ−ＰＷは正常に動作していると判断し、受信されなかった場合、ＭＳ−ＰＷに障害があると判断するステップとを含む障害検知方法。
【請求項４】
前記終端間障害検知メッセージは、受信したメッセージが終端間障害検知メッセージであるかどうかを識別するために各Ｓ−ＰＥまたはＵ−ＰＥ２によって使われる第１の識別情報を含む、請求項３に記載の方法。
【請求項５】
マルチセグメント疑似ワイヤのための障害検知および報告方法であって、
マルチセグメント疑似ワイヤ（ＭＳ−ＰＷ）のＳＳ−ＰＷに障害が起こった場合、該当するＳ−ＰＥが、障害情報を保持する障害通知メッセージを作成し、下流側へ送信するステップＡ１と、
下流側の各Ｓ−ＰＥが、上記障害通知メッセージをＵ−ＰＥへトランスペアレントに順次転送する、または、下流側のＵ−ＰＥが前記障害通知メッセージを受信するステップＡ２と、
Ｕ−ＰＥが障害通知メッセージから障害情報を得るステップＡ３とを含む障害検知および報告方法。
【請求項６】
Ｓ−ＰＥがＳＳ−ＰＷに障害があると判断するのは、
上記ＳＳ−ＰＷの一端に接続されているＰＥが、所定のトリガー条件に基づきまたは所定の時間までに、シングルセグメントの障害検知メッセージを検知のため、他端に送信し、上記他端が、上記所定のトリガー条件に基づきまたは所定の時間までに、上記シングルセグメントの障害検知メッセージを受信したかどうかを判断し、シングルセグメントの障害検知メッセージが受信されていたならば、ＳＳ−ＰＷが正常に動作していると判断し、受信されていないならば、ＳＳ−ＰＷに障害が起こっていると判断する場合、または、
上記ＳＳ−ＰＷの一端に接続されているＰＥが、他端にシングルセグメントの障害検知メッセージを送信し、上記シングルセグメントの障害検知メッセージに対する上記他端からの返信メッセージが事前に設定された時間内に受信されるかどうか判断し、返信メッセージが上記事前に設定された時間内に受信されたならば、ＳＳ−ＰＷは正常に動作していると判断し、受信されていなかったならばＳＳ−ＰＷに障害が起こっていると判断する場合である、請求項５に記載の方法。
【請求項７】
トンネル障害、ＰＷ状態通知障害、またはローカルＰＥ障害を検知したとき、Ｓ−ＰＥが、障害情報を保持する障害通知メッセージを作成し、上記障害通知メッセージを下流側へ送信するステップをさらに含む請求項５に記載の方法。
【請求項８】
上記障害通知メッセージは、受信したメッセージが障害通知メッセージであるかどうかを識別するために各Ｓ−ＰＥまたはＵ−ＰＥ２によって使われる第２の識別情報を含み、かつ／または、
上記シングルセグメントの障害検知メッセージは、受信したメッセージがシングルセグメントの障害検知メッセージであるかどうかを識別するために各Ｓ−ＰＥまたはＵ−ＰＥ２によって使われる第３の識別情報を含む、請求項６または７に記載の方法。
【請求項９】
障害情報は障害タイプ情報および障害位置情報を含んでいる、請求項８に記載の方法。
【請求項１０】
マルチセグメントの疑似ワイヤのメンテナンス折衝制御方法であって、
始端側のＵ−ＰＥが、前記始端側のＵ−ＰＥによってサポートされた障害情報報告性能および障害検知性能に関する情報を含んだ、ＭＳ−ＰＷの順方向セットアップメッセージを作成するステップＢ１と、
各切り替えプロバイダ装置（Ｓ−ＰＥ）が上記順方向セットアップメッセージを順次受信し、上記障害情報報告性能に関する情報がローカルにサポートされているかどうか、および、上記障害検知性能に関する情報がローカルに部分的にサポートされているかどうかを判断し、上記障害情報報告性能および障害検知性能のすべてまたは一部がサポートされている場合、上記順方向セットアップメッセージ中のローカルにサポートされている性能に関する情報のみを保持し、上記順方向セットアップメッセージを転送し、ステップＢ３に進み、上記障害情報報告性能および障害検知性能のいずれもサポートされていない場合、ステップＢ４に進むステップＢ２と、
各Ｓ−ＰＥが順次転送してきた上記順方向セットアップメッセージを受信したときに、末端側のＵ−ＰＥが保持された性能に関する情報がローカルにサポートされているかどうか判断し、上記保持された性能に関する情報のすべてまたは一部がサポートされている場合、ローカルポリシーに基づき設定されたサポートされた性能情報におけるＭＳ−ＰＷメンテナンス動作を行い、上記保持された性能のいずれもサポートされていない場合、ステップＢ４へと進むステップＢ３と、
確立されたＰＷセグメントを切断するステップＢ４とを含む、メンテナンス折衝方法。
【請求項１１】
上記ステップＢ３およびＢ４の間に、
末端側のＵ−ＰＥが、末端側のＵ−ＰＥにサポートされた障害情報報告性能および障害検知性能に関する情報を保持するまたは上記ＭＳ−ＰＷの順方向セットアップ時に決定されたサポートされた性能情報セットを保持する、ＭＳ−ＰＷの逆方向セットアップメッセージを始端側のＵ−ＰＥへ送信するステップＢ３１と、
各Ｓ−ＰＥが、上記逆方向のセットアップメッセージを順次受信し、上記障害情報報告性能に関する情報がローカルにサポートされているかどうか、および障害検知性能に関する情報がローカルに部分的にサポートされているかどうかを判定し、上記障害情報報告性能および障害検知性能のすべてまたは一部がサポートされていた場合、上記逆方向のセットアップメッセージ中のローカルにサポートされた性能に関する情報のみを保持し、上記逆方向セットアップメッセージを転送し、ステップＢ３３へ進み、上記障害情報報告性能および障害検知性能のすべてまたは一部がサポートされていない場合、ステップＢ４へとすすむステップＢ３２と、
各Ｓ−ＰＥにより順次転送された上記逆方向のセットアップメッセージを受信し、末端側のＵ−ＰＥが保持された性能に関する情報がローカルにサポートされているかどうかを判断し、上記保持された性能のすべてまたは一部がサポートいる場合、ローカルポリシーに基づき設定されたサポートされた性能情報におけるＭＳ−ＰＷメンテナンス動作を行い、上記保持された性能のいずれもサポートされていない場合、ステップＢ４へと進むステップＢ３３とを含む、請求項１０に記載の方法。
【請求項１２】
障害情報報告性能に関する情報とは、Ｕ−ＰＥまたはＳ−ＰＥへ接続されているＳＳ−ＰＷに障害が起こった場合、該ＳＳ−ＰＷに含まれるＵ−ＰＥまたはＳ−ＰＥが障害情報を保持する障害通知メッセージを作成し下流側のＳ−ＰＥまたはＵ−ＰＥへ送信し、障害通知メッセージを特定し処理することができるということであり、
障害検知性能に関する情報とは、Ｕ−ＰＥまたはＳ−ＰＥは、ＭＳ−ＰＷのためにＵ−ＰＥが送信する終端間障害検知メッセージとＰＥ間で送信されるシングルセグメント障害検知メッセージの両方または一方を特定し処理することができるということである、請求項１１に記載の方法。
【請求項１３】
すべてのＵ−ＰＥおよびＳ−ＰＥが上記障害情報報告性能をサポートしており、終端間障害検知メッセージを特定および処理できる場合、
ＭＳ−ＰＷのＳＳ−ＰＷに障害が起こった場合、該当するＳ−ＰＥが、障害情報を保持する障害通知メッセージを作成し、下流側へ送信し、
下流側の各Ｓ−ＰＥが、上記障害通知メッセージをＵ−ＰＥへトランスペアレントに順次転送する、または、下流側のＵ−ＰＥが前記障害通知メッセージを受信し、
Ｕ−ＰＥが障害通知メッセージから障害情報を得て、上記障害情報に基づきＭＳ−ＰＷのメンテナンスを行うことにより、上記ＭＳ−ＰＷが維持される請求項１２に記載の方法。
【請求項１４】
上記ＳＳ−ＰＷに含まれるＳ−ＰＥがＳＳ−ＰＷに障害があると判断するのは、
上記ＳＳ−ＰＷの一端に接続されているＰＥが、所定のトリガー条件に基づきまたは所定の時間までに、シングルセグメントの障害検知メッセージを検知のため、他端に送信し、上記他端が、上記所定のトリガー条件に基づきまたは所定の時間までに、上記シングルセグメントの障害検知メッセージを受信したかどうかを判断し、シングルセグメントの障害検知メッセージが受信されていたならば、ＳＳ−ＰＷが正常に動作していると判断し、受信されていないならば、ＳＳ−ＰＷに障害が起こっていると判断する場合、または、
上記ＳＳ−ＰＷの一端に接続されているＰＥが、他端にシングルセグメントの障害検知メッセージを送信し、上記シングルセグメントの障害検知メッセージに対する上記他端からの返信メッセージが事前に設定された時間内に受信されるかどうか判断し、返信メッセージが上記事前に設定された時間内に受信されたならば、ＳＳ−ＰＷは正常に動作していると判断し、受信されていなかったならばＳＳ−ＰＷに障害が起こっていると判断する場合である、請求項１３に記載の方法。
【請求項１５】
トンネル障害、ＰＷ状態通知障害、またはローカルＰＥ障害を検知したとき、Ｓ−ＰＥが、障害情報を保持する障害通知メッセージを作成し、上記障害通知メッセージを下流側へ送信するステップをさらに含む請求項１４に記載の方法。
【請求項１６】
すべてのＵ−ＰＥおよびＳ−ＰＥは終端間障害検知メッセージのみをサポートしている場合、
所定のトリガー条件に基づきまたは所定の時間までに、ＭＳ−ＰＷのＵ−ＰＥ１が終端間ＭＳ−ＰＷ障害検知メッセージを送信し、各Ｓ−ＰＥが、該終端間障害通知検知メッセージを受信し、下流側へ順々にトランスペアレントに送信し、
Ｕ−ＰＥ２が、上記所定のトリガー条件に基づきまたは所定の時間までに送信された上記終端間障害検知メッセージが受信されたかどうかを判断し、上記終端間障害検知メッセージを受信していた場合、上記ＭＳ−ＰＷは正常に動作していると判断し、上記終端間障害検知メッセージを受信していない場合、上記ＭＳ−ＰＷに障害が起こっていると判断しメンテナンスを行うことにより、上記ＭＳ−ＰＷは維持される請求項１１に記載の方法。
【請求項１７】
すべてのＵ−ＰＥおよびＳ−ＰＥは終端間障害検知メッセージのみをサポートしている場合、
ＭＳ−ＰＷのＵ−ＰＥ１が、終端間ＭＳ−ＰＷ障害検知メッセージを送信し、
各Ｓ−ＰＥが、上記終端間障害検知メッセージを受信し、下流側の第２の終端プロバイダ装置（Ｕ−ＰＥ２）へ順々に該終端間障害通知検知メッセージをトランスペアレントに送信し、
Ｕ−ＰＥ２が、上記終端間障害検知メッセージが受信した際に、Ｕ−ＰＥ１へ返信メッセージを返し、
Ｕ−ＰＥ１が、上記終端間障害検知メッセージの返信時間を監視し、上記返信メッセージが返信時間を超える前に受信された場合、ＭＳ−ＰＷは正常に動作していると判断し、受信されなかった場合、ＭＳ−ＰＷに障害があると判断することにより、上記ＭＳ−ＰＷは維持される請求項１１に記載の方法。
【請求項１８】
上記順方向のセットアップメッセージと逆方向のセットアップメッセージの両方または一方はさらに、サポートされた障害検知メッセージタイプ性能に関する情報を含み、Ｕ−ＰＥまたはＳ−ＰＥは、性能情報の基本的な共通点に基づき検知のためのサポートされた障害検知メッセージを選択する、請求項１３、１６、または１７に記載の方法。
【請求項１９】
前記終端間障害検知メッセージは、受信したメッセージが終端間障害検知メッセージであるかどうかを識別するために各Ｓ−ＰＥまたはＵ−ＰＥ２によって使われる第１の識別情報を含み、かつ／または、
上記障害通知メッセージは、受信したメッセージが障害通知メッセージであるかどうかを識別するために各Ｓ−ＰＥまたはＵ−ＰＥ２によって使われる第２の識別情報を含み、かつ／または、
上記シングルセグメントの障害検知メッセージは、受信したメッセージがシングルセグメントの障害検知メッセージであるかどうかを識別するために各Ｓ−ＰＥまたはＵ−ＰＥ２によって使われる第３の識別情報を含む、請求項１２に記載の方法。
【請求項２０】
障害情報は障害タイプ情報および障害位置情報を含んでいる、請求項１３に記載の方法。
【発明の詳細な説明】
【発明の詳細な説明】
【０００１】
［発明の属する技術分野］
本発明はパケット交換ネットワークに関するものであり、特に、マルチセグメント疑似ワイヤのための障害検知、報告、およびメンテナンス折衝制御の方法に関する。
【０００２】
［発明の背景］
ＰＳＮ（Packet Switch Network；パケット交換ネットワーク）は、今日の転送ネットワークの組み合わせにおける、現在発展中のトレンドである。すなわち、従来のサービスはこの組み合わされたネットワークへと移行し、この組み合わされたネットワークは新しいサービスの発展のための要求を満たすことになる。その（安定的に多重化可能な）高帯域の利用性および著しく改善されたＱｏＳ（Quality of Service；サービス品質）保証性能により、ＰＳＮには大きな注目が集まっている。多くの技術者たちは、運用コストを減らしサービスの展開能力を向上させるため、ＦＲ（Frame Relay；フレームリレー）専用回線、イーサーネット専用回線、ＡＴＭ（Asynchronous Transfer Mode；非同期転送モード）専用回線からＰＳＮへサービスを移行してきた。ＰＳＮは主にＭＰＬＳ（Multiple Protocol Label Switching）ネットワーク、Ｌ２ＴＰ（Layer 2 Tunneling Protocol）ネットワーク、およびＩＰ（Internet Protocol）ネットワークを含み、ＭＰＬＳは、分離されたトランスポート層へと進化を遂げつつある。
【０００３】
ＰＷ（Pseudo Wire；疑似ワイヤ）とは、ＰＳＮに関連するエミュレートサービスである。ＡＴＭ、ＦＲ、および、イーサーネットのサービスをＭＰＬＳ／ＩＰネットワーク上でエミュレートする方法はＩＥＴＦ  ＰＷＥ３において定義されている。規格化においては、ＰＳＮ上にてＡＴＭ、ＦＲ、イーサーネット、Ｎ＊６４Ｋサービスの運用をするために、ＩＥＴＦ（Internet Engineering Task Force）がＰＷＥ３（Pseudo Wire Emulation Edge-to-Edge）に関するドラフトをまとめた。
【０００４】
ＰＷのモデルを図１に示す。ＰＷはシングルセグメントＰＷとマルチセグメントＰＷとに分類される。シングルセグメントＰＷ（ＳＳ−ＰＷと略記し、またＳＨ−ＰＷ（Single-Hop PW）とも称す）とは、２つのＰＥ（Provider Equipment；プロバイダ装置）間において、他のＰＥを経由せずに（つまり該２つのＰＥ間にＰＷ切り替えポイントがない）直接確立されているＰＷのことである。図１に示すように、ＰＥ１とＰＥ２間に直接確立された２つのＰＷ（すなわちＰＷ１およびＰＷ２）が、ＳＳ−ＰＷである。マルチセグメントＰＷ（ＭＳ−ＰＷと略記し、またＭＨ−ＰＷ（Multi-Hop PW）とも称す）とは、１つ以上のＰＥ（中間のＰＥのことを交換ＰＥと呼ぶ）を介して、２つのＰＥ間に確立されているＰＷのことである。図１に示すように、ＰＥ１とＰＥ３間において確立されているＰＷ３およびＰＷ４はＭＳ−ＰＷを構成し、またＰＷ５およびＰＷ６は別のＭＳ−ＰＷを構成している。ＭＳ−ＰＷは少なくとも２つのＳＳ−ＰＷ間での切り替えを必要とする。ＰＥ２によって接続されるＰＷ３およびＰＷ４を例にとれば、このＳＳ−ＳＷ（つまりＰＷ３およびＰＷ４）のそれぞれは、セグメント化されたＰＷであると見なすことができる。トラフィックは、Ｓ−ＰＥ（Switching PE；切り替えＰＥ）と称される中間のＰＥ２を介して、転送される。両端のＰＥはそれぞれ、Ｕ−ＰＥ（Ultimate PE；終端ＰＥ）またはＴ−ＰＥ（Terminate PE；終端ＰＥ）と呼ばれる。
【０００５】
現在、ＰＷＥ３ドラフトにおいて、疑似ワイヤ（ＰＷ）ＯＡＭメッセージマッピング（OAM MAP）法およびVirtual Circuit Connectivity Verification（ＶＣＣＶ）を含む、ＳＳ−ＰＷのためのＯＡＭ（Operation And Management）ソリューションが定義されている。ＯＡＭ  ＭＡＰはＬ２アクセスネットワークと該ＰＷとの間で障害メッセージをやりとりする方法を記述している。ＶＣＣＶは２つのＰＥ間のＰＷの障害検知および診断方法を記述している。図１に示すように、ＳＳ−ＰＷ  ＯＡＭソリューションは、ＰＷの障害検知および診断のための以下の３つのＶＣＣＶメッセージを定義している。そのメッセージとは、ＩＣＭＰ（Internet Control Message Protocol）ＰＩＮＧメッセージ、ＢＦＤ（Bidirectional Forwarding Detection）メッセージ、そしてＬＳＰ（Label Switching Path）ＰＩＮＧメッセージである。
【０００６】
ＢＦＤベースの検知方法に基づき、ＰＥ（例えばＰＥ１）がＢＦＤ制御メッセージを別のＰＥ（例えばＰＥ２）に、折衝された送信周期で送信する。ある時間内にＰＥ２が上記ＢＦＤ制御メッセージを受信しなかった場合、ＰＥ１からＰＥ２への回線において障害があるということである。そうでなかった場合は、ＰＥ１からＰＥ２への回線が正常に作動しているということである。また、ＰＩＮＧベースの検知方法に基づき、ＰＥ（例えばＰＥ１）がＰＩＮＧメッセージを別のＰＥ（例えばＰＥ２）に送信する。ＰＩＮＧメッセージを受信した際には、ＰＥ２は返信メッセージとして、該ＰＩＮＧメッセージを送り返す。ＰＥ１が所定の時間内に返信メッセージを受信した場合、ＰＥ１およびＰＥ２間の双方向回線は正常に動作しているということである。そうでない場合は、回線に障害があるということである。
【０００７】
ＰＷ１が、ＰＥ１およびＰＥ２間でのＶＣＣＶメッセージの交換を通して障害ありと検知された場合、警報がなされたり、または保護的な切り替えを行うことができる。
【０００８】
ＭＳ−ＰＷのセグメント化されたＰＷに障害がある場合、以下の２つの保護的な切り替え方法のいずれかを用いることができる。１つ目の方法は、ＳＳ−ＰＷベースの保護である。すなわち、ＰＥ１およびＰＥ２間の接続が、ＰＷ２からＰＷ１へと切り替えられる方法である。もう１つの方法は、Ｅｎｄ−ｔｏ−Ｅｎｄ（Ｅ２Ｅ；終端間）ベースのＯＡＭである。すなわち、切り替えのため、保護用ＭＳ−ＰＷが２つのＵ−ＰＥ間に再確立される方法である。障害情報は通常、接続に障害が起こったＰＥにおいて集められるが、ＳＳ−ＰＷ  ＯＡＭでは、ＳＳ−ＰＷの障害とＥｎｄ−ｔｏ−ＥｎｄのＭＳ−ＰＷの障害とを区別することができない。さらに、隣りあう２つのＰＥ間でしか上記３つのＳＳ−ＰＷ  ＯＡＭメッセージが送信できないため、ＭＳ−ＰＷにおける各セグメント化されたＰＷの障害情報は、ＭＳ−ＰＷのＵ−ＰＥへはフィードバックできない。その結果、上記２番目の保護的な切り替え方法は適用不可となり、特定の装置性能に基づいて柔軟に保護方法を選択することができなくなってしまう。
【０００９】
［発明の概要］
本発明の一側面により、ＭＳ−ＰＷ用の障害検知方法が提供される。また、本発明の別の側面により、ＭＳ−ＰＷ用の障害報告方法が提供される。また、本発明のさらに別な側面により、ＭＳ−ＰＷ用のメンテナンス折衝制御方法が提供される。
【００１０】
マルチセグメント疑似ワイヤのための終端間障害検知方法であって、
所定のトリガー条件に基づきまたは所定の時間までに、マルチセグメント疑似ワイヤ（ＭＳ―ＰＷ）の第１の終端プロバイダ装置（Ｕ−ＰＥ１）が、終端間ＭＳ−ＰＷ障害検知メッセージを送信するステップと、各切り替えＰＥ（Ｓ−ＰＥ）が、該終端間障害通知検知メッセージを受信し、下流側へ順々にトランスペアレントに送信するステップと、
第２の終端プロバイダ装置（Ｕ−ＰＥ２）が、上記所定のトリガー条件に基づきまたは所定の時間までに送信された上記終端間障害検知メッセージが受信されたかどうかを判断し、上記終端間障害検知メッセージを受信していた場合、上記ＭＳ−ＰＷは正常に動作していると判断し、上記終端間障害検知メッセージを受信していない場合、上記ＭＳ−ＰＷに障害が起こっていると判断するステップとを含む障害検知方法。
【００１１】
マルチセグメント疑似ワイヤのための終端間障害検知方法であって、
マルチセグメント疑似ワイヤ（ＭＳ−ＰＷ）のＵ−ＰＥ１が、終端間ＭＳ−ＰＷ障害検知メッセージを送信するステップと、Ｓ−ＰＥが、上記終端間障害検知メッセージを受信し、下流側の第２の終端プロバイダ装置（Ｕ−ＰＥ２）へ順々に該終端間障害通知検知メッセージをトランスペアレントに送信するステップと、Ｕ−ＰＥ２が、上記終端間障害検知メッセージが受信した際に、Ｕ−ＰＥ１へ返信メッセージを返すステップと、
Ｕ−ＰＥ１が、上記終端間障害検知メッセージの返信時間を監視し、上記返信メッセージが返信時間を超える前に受信された場合、ＭＳ−ＰＷは正常に動作していると判断し、受信されなかった場合、ＭＳ−ＰＷに障害があると判断するステップとを含む障害検知方法。
【００１２】
上記２つの方法のいずれにおいても、前記終端間障害検知メッセージは、受信したメッセージが終端間障害検知メッセージであるかどうかを識別するために各Ｓ−ＰＥまたはＵ−ＰＥ２によって使われる第１の識別情報を含んでいる。
【００１３】
マルチセグメント疑似ワイヤのための障害検知および報告方法であって、
マルチセグメント疑似ワイヤ（ＭＳ−ＰＷ）のＳＳ−ＰＷに障害が起こった場合、該当するＳ−ＰＥが、障害情報を保持する障害通知メッセージを作成し、下流側へ送信するステップと、
下流側の各Ｓ−ＰＥが、上記障害通知メッセージをＵ−ＰＥへトランスペアレントに順次転送する、または、下流側のＵ−ＰＥが前記障害通知メッセージを受信するステップと、
Ｕ−ＰＥが障害通知メッセージから障害情報を得るステップとを含む障害検知および報告方法。
【００１４】
Ｓ−ＰＥがＳＳ−ＰＷに障害があると判断するのは、
上記ＳＳ−ＰＷの一端に接続されているＰＥが、所定のトリガー条件に基づきまたは所定の時間までに、シングルセグメントの障害検知メッセージを検知のため、他端に送信し、上記他端が、上記所定のトリガー条件に基づきまたは所定の時間までに、上記シングルセグメントの障害検知メッセージを受信したかどうかを判断し、シングルセグメントの障害検知メッセージが受信されていたならば、ＳＳ−ＰＷが正常に動作していると判断し、受信されていないならば、ＳＳ−ＰＷに障害が起こっていると判断する場合、または、
上記ＳＳ−ＰＷの一端に接続されているＰＥが、他端にシングルセグメントの障害検知メッセージを送信し、上記シングルセグメントの障害検知メッセージに対する上記他端からの返信メッセージが事前に設定された時間内に受信されるかどうか判断し、返信メッセージが上記事前に設定された時間内に受信されたならば、ＳＳ−ＰＷは正常に動作していると判断し、受信されていなかったならばＳＳ−ＰＷに障害が起こっていると判断する場合とである。
【００１５】
上記方法は、トンネル障害、ＰＷ状態通知障害、またはローカルＰＥ障害を検知したとき、Ｓ−ＰＥが、障害情報を保持する障害通知メッセージを作成し、上記障害通知メッセージを下流側へ送信するステップをさらに含む。
【００１６】
上記障害通知メッセージは、受信したメッセージが障害通知メッセージであるかどうかを識別するために各Ｓ−ＰＥまたはＵ−ＰＥ２によって使われる第２の識別情報を含み、かつ／または、
上記シングルセグメントの障害検知メッセージは、受信したメッセージがシングルセグメントの障害検知メッセージであるかどうかを識別するために各Ｓ−ＰＥまたはＵ−ＰＥ２によって使われる第３の識別情報を含む。
【００１７】
障害情報は障害タイプ情報および障害位置情報を含む。
【００１８】
マルチセグメントの疑似ワイヤのメンテナンス折衝制御方法であって、
始端側のＵ−ＰＥが、前記始端側のＵ−ＰＥによってサポートされた障害情報報告性能および障害検知性能に関する情報を含んだ、ＭＳ−ＰＷの順方向セットアップメッセージを作成するステップＢ１と、
各切り替えプロバイダ装置（Ｓ−ＰＥ）が上記順方向セットアップメッセージを順次受信し、上記障害情報報告性能に関する情報がローカルにサポートされているかどうか、および、上記障害検知性能に関する情報がローカルに部分的にサポートされているかどうかを判断し、上記障害情報報告性能および障害検知性能のすべてまたは一部がサポートされている場合、上記順方向セットアップメッセージ中のローカルにサポートされている性能に関する情報のみを保持し、上記順方向セットアップメッセージを転送し、ステップＢ３に進み、上記障害情報報告性能および障害検知性能のいずれもサポートされていない場合、ステップＢ４に進むステップＢ２と、
各Ｓ−ＰＥが順次転送してきた上記順方向セットアップメッセージを受信したときに、末端側のＵ−ＰＥが保持された性能に関する情報がローカルにサポートされているかどうか判断し、上記保持された性能に関する情報のすべてまたは一部がサポートされている場合、ローカルポリシーに基づき設定されたサポートされた性能情報におけるＭＳ−ＰＷメンテナンス動作を行い、上記保持された性能のいずれもサポートされていない場合、ステップＢ４へと進むステップＢ３と、
確立されたＰＷセグメントを切断するステップＢ４とを含む、メンテナンス折衝方法。
【００１９】
上記ステップＢ３およびＢ４の間に、
末端側のＵ−ＰＥが、末端側のＵ−ＰＥにサポートされた障害情報報告性能および障害検知性能に関する情報を保持するまたは上記ＭＳ−ＰＷの順方向セットアップ時に決定されたサポートされた性能情報セットを保持する、ＭＳ−ＰＷの逆方向セットアップメッセージを始端側のＵ−ＰＥへ送信するステップＢ３１と、
各Ｓ−ＰＥが、上記逆方向のセットアップメッセージを順次受信し、上記障害情報報告性能に関する情報がローカルにサポートされているかどうか、および障害検知性能に関する情報がローカルに部分的にサポートされているかどうかを判定し、上記障害情報報告性能および障害検知性能のすべてまたは一部がサポートされていた場合、上記逆方向のセットアップメッセージ中のローカルにサポートされた性能に関する情報のみを保持し、上記逆方向セットアップメッセージを転送し、ステップＢ３３へ進み、上記障害情報報告性能および障害検知性能のすべてまたは一部がサポートされていない場合、ステップＢ４へとすすむステップＢ３２と、
各Ｓ−ＰＥにより順次転送された上記逆方向のセットアップメッセージを受信し、末端側のＵ−ＰＥが保持された性能に関する情報がローカルにサポートされているかどうかを判断し、上記保持された性能のすべてまたは一部がサポートいる場合、ローカルポリシーに基づき設定されたサポートされた性能情報におけるＭＳ−ＰＷメンテナンス動作を行い、上記保持された性能のいずれもサポートされていない場合、ステップＢ４へと進むステップＢ３３とを上記方法は含む。
【００２０】
障害情報報告性能に関する情報とは、Ｕ−ＰＥまたはＳ−ＰＥへ接続されているＳＳ−ＰＷに障害が起こった場合、該ＳＳ−ＰＷに含まれるＵ−ＰＥまたはＳ−ＰＥが障害情報を保持する障害通知メッセージを作成し下流側のＳ−ＰＥまたはＵ−ＰＥへ送信し、障害通知メッセージを特定し処理することができるということであり、
障害検知性能に関する情報とは、Ｕ−ＰＥまたはＳ−ＰＥは、ＭＳ−ＰＷのためにＵ−ＰＥが送信する終端間障害検知メッセージとＰＥ間で送信されるシングルセグメント障害検知メッセージの両方または一方を特定し処理することができるということである。
【００２１】
すべてのＵ−ＰＥおよびＳ−ＰＥが上記障害情報報告性能をサポートしており、終端間障害検知メッセージを特定および処理できる場合、
ＭＳ−ＰＷのＳＳ−ＰＷに障害が起こった場合、該当するＳ−ＰＥが、障害情報を保持する障害通知メッセージを作成し、下流側へ送信し、
下流側の各Ｓ−ＰＥが、上記障害通知メッセージをＵ−ＰＥへトランスペアレントに順次転送する、または、下流側のＵ−ＰＥが前記障害通知メッセージを受信し、
Ｕ−ＰＥが障害通知メッセージから障害情報を得て、上記障害情報に基づきＭＳ−ＰＷのメンテナンスを行うことにより、上記ＭＳ−ＰＷが維持される。
【００２２】
上記ＳＳ−ＰＷに含まれるＳ−ＰＥがＳＳ−ＰＷに障害があると判断するのは、
上記ＳＳ−ＰＷの一端に接続されているＰＥが、所定のトリガー条件に基づきまたは所定の時間までに、シングルセグメントの障害検知メッセージを検知のため、他端に送信し、上記他端が、上記所定のトリガー条件に基づきまたは所定の時間までに、上記シングルセグメントの障害検知メッセージを受信したかどうかを判断し、シングルセグメントの障害検知メッセージが受信されていたならば、ＳＳ−ＰＷが正常に動作していると判断し、受信されていないならば、ＳＳ−ＰＷに障害が起こっていると判断する場合、または、
上記ＳＳ−ＰＷの一端に接続されているＰＥが、他端にシングルセグメントの障害検知メッセージを送信し、上記シングルセグメントの障害検知メッセージに対する上記他端からの返信メッセージが事前に設定された時間内に受信されるかどうか判断し、返信メッセージが上記事前に設定された時間内に受信されたならば、ＳＳ−ＰＷは正常に動作していると判断し、受信されていなかったならばＳＳ−ＰＷに障害が起こっていると判断する場合である。
【００２３】
上記方法は、トンネル障害、ＰＷ状態通知障害、またはローカルＰＥ障害を検知したとき、Ｓ−ＰＥが、障害情報を保持する障害通知メッセージを作成し、上記障害通知メッセージを下流側へ送信するステップをさらに含む。
【００２４】
すべてのＵ−ＰＥおよびＳ−ＰＥは終端間障害検知メッセージのみをサポートしている場合、
所定のトリガー条件に基づきまたは所定の時間までに、ＭＳ−ＰＷのＵ−ＰＥ１が終端間ＭＳ−ＰＷ障害検知メッセージを送信し、各Ｓ−ＰＥが、該終端間障害通知検知メッセージを受信し、下流側へ順々にトランスペアレントに送信し、
Ｕ−ＰＥ２が、上記所定のトリガー条件に基づきまたは所定の時間までに送信された上記終端間障害検知メッセージが受信されたかどうかを判断し、上記終端間障害検知メッセージを受信していた場合、上記ＭＳ−ＰＷは正常に動作していると判断し、上記終端間障害検知メッセージを受信していない場合、上記ＭＳ−ＰＷに障害が起こっていると判断しメンテナンスを行うことにより、上記ＭＳ−ＰＷは維持される。
【００２５】
すべてのＵ−ＰＥおよびＳ−ＰＥは終端間障害検知メッセージのみをサポートしている場合、
ＭＳ−ＰＷのＵ−ＰＥ１が、終端間ＭＳ−ＰＷ障害検知メッセージを送信し、各Ｓ−ＰＥが、上記終端間障害検知メッセージを受信し、下流側の第２の終端プロバイダ装置（Ｕ−ＰＥ２）へ順々に該終端間障害通知検知メッセージをトランスペアレントに送信し、Ｕ−ＰＥ２が、上記終端間障害検知メッセージが受信した際に、Ｕ−ＰＥ１へ返信メッセージを返し、
Ｕ−ＰＥ１が、上記終端間障害検知メッセージの返信時間を監視し、上記返信メッセージが返信時間を超える前に受信された場合、ＭＳ−ＰＷは正常に動作していると判断し、受信されなかった場合、ＭＳ−ＰＷに障害があると判断することにより、上記ＭＳ−ＰＷは維持される。
【００２６】
上記順方向のセットアップメッセージと逆方向のセットアップメッセージの両方または一方はさらに、サポートされた障害検知メッセージタイプ性能に関する情報を含み、Ｕ−ＰＥまたはＳ−ＰＥは、性能情報の基本的な共通点に基づき検知のためのサポートされた障害検知メッセージを選択する。
【００２７】
前記終端間障害検知メッセージは、受信したメッセージが終端間障害検知メッセージであるかどうかを識別するために各Ｓ−ＰＥまたはＵ−ＰＥ２によって使われる第１の識別情報を含み、かつ／または、
上記障害通知メッセージは、受信したメッセージが障害通知メッセージであるかどうかを識別するために各Ｓ−ＰＥまたはＵ−ＰＥ２によって使われる第２の識別情報を含み、かつ／または、
上記シングルセグメントの障害検知メッセージは、受信したメッセージがシングルセグメントの障害検知メッセージであるかどうかを識別するために各Ｓ−ＰＥまたはＵ−ＰＥ２によって使われる第３の識別情報を含む。
【００２８】
障害情報は障害タイプ情報および障害位置情報を含む。
【００２９】
本発明のかかる上記ＭＳ−ＰＷ用の障害検知、障害報告、メンテナンス折衝制御方法によれば、ＭＳ−ＰＷにおいてどのＳＳ−ＰＷに障害が起きても、ＳＳ−ＰＷに接続されたＳ−ＰＥが、終端間メンテナンスを実行するために障害報告情報を末端側のＵ−ＰＥへ適切な時間に報告することができる。加えて、上記メンテナンス方法に基づき、本発明により提唱されたＭＳ−ＰＷ用のメンテナンス折衝制御方法は、装置性能に基づき柔軟に適切なメンテナンス方法を選択する。さらに、本発明は従来のＳＳ−ＰＷ  ＯＡＭ法と高い互換性があり、実施も容易である。
【００３０】
［実施の形態］
本発明の技術思想は以下の通りである。
【００３１】
１．各ＰＥがセグメント化ＯＡＭをサポートしている場合、あるセグメントの障害情報をＥｎｄ−ｔｏ−Ｅｎｄ  ＯＡＭに似た方法で各Ｕ−ＰＥへ、トランスペアレント伝送（透過形伝送）するために、本発明の一実施形態ではまず、以下の新しいタイプのメッセージを提供する。そのメッセージとは、ＦＩＮ（Fault Information Notification；障害情報通知）メッセージであり、ＭＳ−ＰＷのＵ−ＰＥへセグメント化されたＰＷの障害情報を送信するのに用いられる。
【００３２】
２．本発明において提供される上記ＦＩＮメッセージに基づき、本発明はＥ２Ｅ（Ｅｎｄ−ｔｏ−Ｅｎｄ、終端間）ＯＡＭベースの検知および報告方法を提供する。すなわち、あるＳＳ−ＰＷに障害が起こった場合、下流側のＰＥ（すなわちＳ−ＰＥ）が上記ＳＳ−ＰＷの障害情報をＵ−ＰＥへ上記ＦＩＮメッセージとともに報知する。これにより、すばやいＵ−ＰＥの切り替え、警報の抑制、および警報の報告などがトリガーされる。
【００３３】
３．上記実施形態において述べられたＥ２Ｅ  ＯＡＭモードに基づき、本発明の一実施形態は、運用および管理を折衝する方法を提供する。すなわち、ＭＳ−ＰＷを確立するＰＥの処理の間に、各ＰＥはＳＳ−ＰＷベースの保護および／またはＥ２ＥベースのＭＳ−ＰＷ保護を、各ＰＥの性能に応じて選択する。該ＳＳ−ＰＷベースの保護はＳＥＧＭＥＮＴ  ＯＡＭ性能を必要とし、Ｅ２ＥベースのＭＳ−ＰＷ保護はＥ２Ｅ  ＯＡＭ性能を必要とする。
【００３４】
以下、本発明の各実施形態を詳述する。
【００３５】
Ｉ．ＦＩＮメッセージ
１．ＦＩＮメッセージのペイロードに保持される情報
ＦＩＮメッセージタイプ指示は、メッセージが障害情報の報告に使われていることを識別するためのものであり、通常、特定のビットにおいて「１」または「０」を設定することにより実施される。
【００３６】
障害位置情報は、障害位置を特定するためのものであり、ＦＩＮメッセージを作成するＳ−ＰＥのＩＰで表すことができる。障害発生位置情報は、障害位置の特定に用いられ、通常ネットワークの管理者へと報告される。これにより、運用管理作業者は、障害の発生しているおおよその位置を割り出し、メンテナンスを行うことができる。
【００３７】
障害タイプ情報は、障害のタイプを特定するためのものである。障害タイプ情報は、ＰＷ状態情報（例えば、「疑似ワイヤ、転送せず」）またはＢＦＤ検知時において作成される障害診断情報（例えば、ＶＣＣＶにおいて示される「制御検知時間失効」）であってもよく、通常は対応する障害のコードで表される。
【００３８】
これにより、ネットワーク管理者はデータプレーンまたはコントロールプレーンで問題があるかどうか、または障害の深刻さを判断し、障害のタイプにより適切な切り替え方法を決定することができる。
【００３９】
ＦＩＮメッセージのペイロードの前にはＦＩＮメッセージヘッダーがある。該メッセージヘッダーのフォーマットはＰＳＮによって決まる。例えば、ＰＳＮがＭＰＬＳネットワークの場合、該ＦＩＮメッセージヘッダーはさらに次の情報を含んでいても良い。その情報とは、トランスポートトンネルラベルおよびＰＷラベルなどである。
【００４０】
２．ＦＩＮメッセージのトリガーする条件には、以下のものが含まれる：
ローカルのＯＡＭメカニズム（例えば、ＢＦＤ）で検知された障害、
トンネル障害、
ＰＷ状態通知障害、
ソフトウエアまたはハードウエアの無効などのローカルのＰＥの障害。
【００４１】
これらのうち、ローカルのＯＡＭメカニズム（例えば、ＢＦＤ）で検知された障害が、主なトリガーの条件である。
【００４２】
３．ＦＩＮメッセージの構造
ＦＩＮメッセージは、従来のＶＣＣＶ制御チャンネルを介して送信できる。ＶＣＣＶ制御チャンネルは、以下の３つのタイプへ分類される。１つ目は、帯域内ＯＡＭメッセージチャンネル（該チャンネルにおいて、ＯＡＭメッセージは制御ワードによって特定される）である。２つ目は、帯域外ＯＡＭメッセージチャンネル（該チャンネルにおいて、ＯＡＭメッセージは特別なラベルによって特定される）である。３つ目は、ＴＴＬ失効ＯＡＭメッセージチャンネルである。これらのうち、後の２つはＯＡＭのペイロードの処理において類似している。これら３つの制御チャンネルのいずれかによって、ＦＩＮメッセージは拡張することができる。以下、帯域内ＯＡＭメッセージを例にとり、本発明の一実施形態を説明する。
【００４３】
図２に示すように、帯域内ＯＡＭメッセージの制御ワードは３２ビットからなり、最初の４ビットはメッセージのタイプを特定するのに使われる（「００００」はデータメッセージを表し、「０００１」は帯域内ＯＡＭメッセージを表す）。次の４ビットはＦｍｔＩＤ（Format Identifier；フォーマット識別子）を設定するのに用いられる。「ＦｍｔＩＤ」と、「チャンネルタイプ」を設定するのに用いられる、続く１６ビットとの間には予備ビットとして８ビットが用意されている。予備ビットにおいて、ＦＩＮメッセージタイプ指示を設定するために、いずれのビットを選択することができる。
【００４４】
ＳＥＧＭＥＮＴ  ＯＡＭまたはＥ２Ｅ  ＯＡＭ障害検知メカニズムのそれぞれを実施するために、ＶＣＣＶ障害検知メッセージは上記２つの障害検知モードを識別するため以下のように拡張される必要がある。すなわち、制御ワードにおける予備ビットを、メッセージがＳＥＧＭＥＮＴ  ＯＡＭメッセージまたはＥ２Ｅ  ＯＡＭメッセージであるか識別するのに用いる。ＳＥＧＭＥＮＴ  ＯＡＭメッセージは、ＳＳ−ＰＷでの障害検知、診断、通知に用いられ、Ｅ２Ｅ  ＯＡＭメッセージはＥｎｄ−ｔｏ−ＥｎｄのＭＳ−ＰＷでの障害検知、診断、通知に用いられる。
【００４５】
ＳＥＧＭＥＮＴ  ＯＡＭ、Ｅ２Ｅ  ＯＡＭ障害検知メカニズムのいずれかが用いられるかにかかわらず、前のＳＳ−ＰＷに障害があった場合、Ｓ−ＰＥがメッセージ報知性能を有しているならば、Ｓ−ＰＥは障害情報を収集、ＦＩＮメッセージを作成し、ＵＰＥへ該ＦＩＮメッセージを送信することにより、Ｅｎｄ−ｔｏ−Ｅｎｄの運用およびメンテナンスを実施することができる。
【００４６】
結論として、拡張された制御ワードのフォーマットを図３に示す。ビットマスク法で、８番目のビットに、メッセージがＦＩＮメッセージであると示すためにＦをセットする（必要に応じて「１」または「０」）。９番目のビットに、メッセージがＳＥＧＭＥＮＴ  ＯＡＭメッセージまたはＥ２Ｅ  ＯＡＭメッセージであるかを示すために、Ｔをセットする（必要に応じて「１」または「０」）。なお、図３に示す識別モードは、適用可能な一例である。この識別位置はどの予備ビットであってもよい。よって、識別モードは本発明の実施形態を実施することにおいていかなる限定をするものではない。
【００４７】
ＰＳＮがＭＰＬＳネットワークの場合における、上記拡張されたＦＩＮメッセージフォーマットを図４に示す。ＦＩＮメッセージにおいて、メッセージヘッダーは、トランスポートトンネルラベル、ＰＷラベル、および制御ワードを含んでいる。上記拡張されたＶＣＣＶメッセージにおける制御ワードは、メッセージがＦＩＮメッセージかどうかを示す識別子Ｆおよび、メッセージがＳＥＧＭＥＮＴ  ＯＡＭメッセージまたはＥ２Ｅ  ＯＡＭメッセージであるかを示す識別子Ｔを含んでいる。ＦＩＮメッセージにおけるペイロードフィールドは、障害位置情報、障害タイプ情報、またはその他の情報を保持している。
【００４８】
帯域外ＯＡＭチャンネルは、同様の方法でＯＡＭメッセージのペイロードにおける適切な識別子ＦまたはＴを設定することにより、識別および処理することができる。ここではさらなる説明はしない。
【００４９】
II．ＰＥによる異なるＯＡＭメッセージの処理は、以下の処理を含んでいる。
【００５０】
１．ＦがＯＡＭメッセージが障害情報通知メッセージであると示している場合、ＯＡＭメッセージはトランスペアレントモードでＳ−ＰＥを介して直接、Ｕ−ＰＥまで到達するまで、送信される。
【００５１】
２．ＯＡＭメッセージは障害情報通知メッセージではないとＦが示している場合、ＯＡＭメッセージはＰＷセットアップ時に作成された折衝メッセージであると示し、該ＯＡＭメッセージは普通のＶＣＣＶメッセージとして処理されることになる。
【００５２】
３．メッセージがＳＥＧＭＥＮＴ  ＯＡＭメッセージであるとＴが示している場合、Ｓ−ＰＥは、該ＳＥＧＭＥＮＴ  ＯＡＭメッセージを受信し処理しても、該ＳＥＧＭＥＮＴ  ＯＡＭメッセージを転送しない。これは、ＳＥＧＭＥＮＴ  ＯＡＭメッセージ（すなわちＳＳ−ＰＷベースのメッセージ）なので、ＳＳ−ＰＷのみが検知され、ＳＥＧＭＥＮＴ  ＯＡＭメッセージはＵ−ＰＥへ送信される必要がないからである。もちろん、Ｓ−ＰＥとＵ―ＰＥ間にＳＳ−ＰＷがある場合、該Ｕ−ＰＥへＳＥＧＭＥＮＴ  ＯＡＭメッセージは送信される。事実、ＳＥＧＭＥＮＴ  ＯＡＭメッセージが送信される必要があるＵ―ＰＥは、ＭＳ−ＰＷのＵ―ＰＥではなく、ＳＳ−ＰＷの末端ＰＥのみである。
【００５３】
４．メッセージがＥ２Ｅ  ＯＡＭメッセージであるとＴが示している場合、Ｓ−ＰＥは該Ｅ２Ｅ  ＯＡＭメッセージを、Ｕ−ＰＥに届くまで、ＭＳ−ＰＷの次のＳＳ−ＰＷへ直接、トランスペアレントに送信する。
【００５４】
図５に示すように、ＳＥＧＭＥＮＴ２に障害が起こった場合、下流側のＳ−ＰＥが障害情報を受信し、離れたＵ−ＰＥ（すなわち、Ｕ−ＰＥ２）へ障害位置と障害タイプ情報を知らせるために、ＵＰＥ２へ障害情報通知メッセージを送る。具体的には、Ｓ−ＰＥ１からＳ−ＰＥ２のＰＷに障害が起こった場合、Ｓ−ＰＥ１はＵ―ＰＥ２へ障害情報通知メッセージを送信する。Ｓ−ＰＥ２からＳ−ＰＥ１のＰＷに障害が起こった場合、Ｓ−ＰＥ２は該障害をＵ−ＰＥ１へ通知する。ＦＩＮメッセージを受信した際、Ｕ−ＰＥはもう一方のＵ−ＰＥへ該ＰＷの現在の状態を通知するためにＰＷ状態通知メッセージを送信する。
【００５５】
III．ＯＡＭ性能折衝方法
ＰＥは、上述した新しいＯＡＭ性能をサポートしていないので、ＭＳ−ＰＷをセットアップするプロセスの間に、Ｕ−ＰＥおよびＳ−ＰＥ間、Ｓ−ＰＥ間、およびＵ−ＰＥ間において、上記ＯＡＭ性能は折衝される必要がある。折衝機能（次の２つの性能：（１）障害情報通知ＯＡＭメッセージがサポートされているかどうか、と（２）Ｅ２Ｅ  ＯＡＭまたはＳＥＧＭＥＮＴ ＯＡＭ、またはＥ２Ｅ  ＯＡＭおよびＳＥＧＭＥＮＴ ＯＡＭの両方をサポートされているかどうか）をサポートするために、ＰＷＥ３において定義されているＶＣＣＶ制御メッセージフォーマットはＯＡＭ性能に関する識別し情報を含むように拡張される必要がある。通常、この拡張もビットマスク法で行われる。すなわち、特定の性能がサポートされているかどうか示すためにビットを用いるということである。例えば、「ビット０」は、ＩＣＭＰ  ＰＩＮＧがサポートされているかどうかを示す（「ビット０」の値が０ならばサポートされておらず、「ビット０」の値が１ならばサポートされている）。「ビット１」は、ＬＳＰ  ＰＩＮＧがサポートされているかどうかを示す（「ビット１」の値が０ならばサポートされておらず、「ビット１」の値が１ならばサポートされている）。
【００５６】
図６に示すインターフェイスパラメータフォーマットは、ＶＣＣＶ性能折衝が行われている間に用いられるものである。インターフェイスパラメータフォーマットにおいては、以下の通りである。
【００５７】
０ｘｃ４：フィールドＴはタイプフィールドであり、ＴＬＶ（Type-Length-Value）のタイプはＶＣＣＶインターフェイスパラメータであると示す。
【００５８】
０ｘ０４：フィールドＬは、長さフィールドであり、ＴＬＶの長さを示す。すなわち、ＶＣＣＶインターフェイスパラメータの長さは４バイトであると示す。
【００５９】
ＣＣタイプは、送信側によってサポートされている制御チャンネルのタイプを示している。
【００６０】
ＣＶタイプは、送信側によってサポートされているＯＡＭメッセージタイプを示している。ビットマスク法では、０ｘ０１はＩＣＭＰ  ＰＩＮＧ障害検知メッセージのサポートを示すように構成され、０ｘ０２はＬＳＰ  ＰＩＮＧ障害検知メッセージのサポートを示すように構成され、０ｘ０４は、ＢＦＤ障害検知メッセージのサポートを示すように構成されている。
【００６１】
また、ビットマスク法において、障害情報報告性能および検知性能は同時に折衝されてもよい。例えば、ＣＶタイプにおいて、０ｘ１０はＦＩＮメッセージがサポートされているかどうかを示すように構成され、０ｘ２０はＳＥＧＭＥＮＴ  ＯＡＭがサポートされているかどうか示すように構成され、０ｘ４０はＥ２Ｅ  ＯＡＭがサポートされているかどうかを示すように構成されている。上記の拡張により、従来のＳＳ−ＰＷ  ＯＡＭ法との互換性は完全に確保できる。
【００６２】
図５に示すＭＳ−ＰＷに対応して、ＭＳ−ＰＷ  ＯＡＭメッセージは、ネットワーク要素によって、次のように処理される。
【００６３】
１．ＯＡＭ性能折衝、ＯＡＭメッセージの作成、ＯＡＭメッセージの送受信を含む、Ｕ−ＰＥによる処理
ＭＳ−ＰＷがセットアップされたとき、始端側（ソース側）のＵ−ＰＥが、障害情報通知性能情報、ＳＥＧＭＥＮＴ／Ｅ２Ｅ  ＯＡＭ性能情報（ＳＥＧＭＥＮＴ／Ｅ２Ｅ  ＯＡＭはＳＥＧＭＥＮＴおよび／またはＥ２Ｅ  ＯＡＭを示す、以下同じ）、および情報伝達メッセージに含まれるサポートされているＣＣタイプおよびＣＶタイプに関する情報を作成する。折衝要求を受信したとき、離れたＵ−ＰＥは自装置の性能に基づき、上記性能がサポートされているかどうか判断し、返信を行う。
【００６４】
該Ｕ−ＰＥがＥ２Ｅ  ＯＡＭをサポートしている場合、該Ｕ―ＰＥは、情報伝達メッセージが作成されたときに得られた折衝結果に基づき、Ｅｎｄ−ｔｏ−ＥｎｄのＶＣＣＶメッセージを送信することを決定する。一方、Ｕ−ＰＥがＳＥＧＭＥＮＴ  ＯＡＭをサポートする場合、シングルセグメントのＶＣＣＶメッセージを折衝結果に基づき送信する。
【００６５】
Ｅ２Ｅ  ＯＡＭメッセージを受信する際に、Ｕ−ＰＥは、ＭＳ−ＰＷ  ＯＡＭ処理を行う（例えば、Ｅｎｄ−ｔｏ−ＥｎｄのＰＷ状態などを判別する）。
【００６６】
ＳＥＧＭＥＮＴ  ＯＡＭメッセージを受信する際に、Ｕ−ＰＥは、従来のＳＳ−ＰＷ処理と同じＳＳ−ＰＷ  ＯＡＭ処理を行う。
【００６７】
２．ＯＡＭ性能折衝およびＯＡＭメッセージの送受信を含む、Ｓ−ＰＥによる処理
ＭＳ−ＰＷがセットアップされると、Ｓ−ＰＥは、障害情報通知性能情報、ＳＥＧＭＥＮＴ／Ｅ２Ｅ  ＯＡＭ性能情報、および情報伝達メッセージにおけるサポートされているＣＣタイプおよびＣＶタイプに関する情報を作成し、自装置の性能に基づいて、上記性能のうち１つまたはそれ以上がサポートされているかどうか判断する。上記性能のうち１つまたはそれ以上がサポートされている場合、該Ｓ−ＰＥは、次のＳ−ＰＥへ転送される情報伝達メッセージに含まれているサポートされた性能（複数の性能）を示す。上記性能のうちいずれもサポートされていない場合、ＰＷを確立することはできない。
【００６８】
Ｓ−ＰＥがＥ２Ｅ  ＯＡＭをサポートしＥ２Ｅ  ＯＡＭメッセージを受信する場合、Ｓ−ＰＥはＥ２Ｅ  ＯＡＭメッセージをさらなる処理を行うことなく、トランスペアレントに送信する。Ｓ−ＰＥがＳＥＧＭＥＮＴ  ＯＡＭをサポートしている場合、Ｓ−ＰＥはこの場合、ＳＳ−ＰＷにおけるＵ−ＰＥと同等のものとなり、よって処理を行う。Ｓ−ＰＥがＥ２Ｅ  ＯＡＭをサポートしておらず、Ｅ２Ｅ  ＯＡＭメッセージを受信した場合は、該Ｅ２Ｅ  ＯＡＭメッセージを破棄する。また、Ｓ−ＰＥがＳＥＧＭＥＮＴ  ＯＡＭをサポートしておらず、ＳＥＧＭＥＮＴ  ＯＡＭメッセージを受信した場合は、該ＳＥＧＭＥＮＴ  ＯＡＭメッセージを破棄する。
【００６９】
Ｓ−ＰＥがＯＡＭ診断またはＰＷ状態情報伝達によって、ＳＳ−ＰＷに障害があることを認識した場合、該Ｓ−ＰＥは、ＭＳ−ＰＷにおける対応する下流側または上流側のＳ−ＰＥへと障害情報通知メッセージを送信する。
【００７０】
Ｓ−ＰＥが上記障害情報通知メッセージを受信したとき、該Ｓ−ＰＥがＦＩＮメッセージをサポートしていない場合は、ＦＩＮメッセージを破棄する。サポートしている場合はＦＩＮメッセージを転送する。
【００７１】
結論を言えば、Ｅ２Ｅ  ＯＡＭメカニズムの実施のためには、Ｓ−ＰＥはＦＩＮ性能をサポートしなければならない。以下、折衝とメンテナンスのプロセスの、一実施形態について述べる。
【００７２】
図５に示すように、ＭＳ−ＰＷは４つのＳＳ−ＰＷ、２つのＵ−ＰＥ、および３つのＳ−ＰＥを含んでいる。これは一般的な場合である。これらすべてのＰＥは、ＢＦＤ検知メッセージのみをサポートしているとし、始端側のＵ−ＰＥおよび末端側のＵ−ＰＥはそれぞれ、ＦＩＮ、ＳＥＧＭＥＮＴ  ＯＡＭ、およびＥ２Ｅ  ＯＡＭ性能をサポートし、Ｓ−ＰＥ１、Ｓ−ＰＥ２、Ｓ−ＰＥ３はそれぞれＦＩＮおよびＥ２Ｅ  ＯＡＭ性能をサポートしている。ＭＳ−ＰＷがセットアップされたとき、折衝処理において、以下のステップで、順方向の折衝および逆方向の折衝を行う。順方向の折衝は、ステップＳ１０１〜Ｓ１０４を含んでいる。
【００７３】
Ｓ１０１：始端側のＵ−ＰＥはＭＳ−ＰＷ用の順方向のセットアップメッセージを作成する。上記の順方向のセットアップメッセージは、障害情報報告性能に関する情報、および始端側のＵ−ＰＥにサポートされている障害検知性能に関する情報を含んでいる。
【００７４】
Ｓ１０２：Ｓ−ＰＥが順方向のセットアップメッセージを順々に受信し、障害情報報告性能に関する情報がローカルにサポートされているかどうか、および、障害検知性能がローカルに部分的にサポートされているかどうかを判定する。すべて、または一部の障害情報報告性能および障害検知性能がサポートされている場合、Ｓ−ＰＥは該順方向のセットアップメッセージにおいてローカルにサポートされている性能に関する情報のみを保持し、上記順方向のセットアップメッセージを転送し、処理はステップＢ３へと進む。障害情報報告性能および障害検知性能のいずれもサポートされていない場合、処理はステップＳ１０４へと進む。
【００７５】
Ｓ１０３：Ｓ−ＰＥにより順々に転送されてきた順方向のセットアップメッセージを受信すると、末端側のＵ―ＰＥは、保持された性能に関する情報がローカルにサポートされているかどうか判定する。保持された性能のすべてまたは一部がサポートされている場合、Ｕ−ＰＥは、ローカルポリシーに基づいて設定されたサポートされた性能情報における対応するＭＳ−ＰＷメンテナンス動作を行うと決定する。保持された性能のいずれもサポートされていない場合、処理はステップＳ１０４へと進む。
【００７６】
Ｓ１０４：確立されているＰＷセグメントを切断する。
【００７７】
順方向の折衝が成功し順方向のＰＷが確立された後、ステップＳ１０３とＳ１０４の間に次のステップを含む逆方向の折衝処理が行われる。
【００７８】
Ｓ１０３１：終端Ｕ−ＰＥが始端ＵＰＥへ、ＭＳ−ＰＷのため、逆方向のセットアップメッセージを送信する。逆方向のセットアップメッセージは障害情報報告性能に関する情報、および終端Ｕ−ＰＥにサポートされている障害検知性能に関する情報を保持している、または順方向のセットアップ処理の間に決定されたサポートされた性能情報セットを保持している。
【００７９】
Ｓ１０３２：Ｓ−ＰＥが逆方向のセットアップメッセージを順々に受信し、障害情報報告性能に関する情報がローカルにサポートされているかどうか、および、障害検知性能がローカルに部分的にサポートされているかどうか、または順方向のセットアップ処理の間に決定されたサポートされた性能情報セットがローカルにサポートされているかどうかを判定する。すべてまたは一部の障害情報報告性能および障害検知性能がサポートされている場合、Ｓ−ＰＥは該逆方向のセットアップメッセージにおいてローカルにサポートされている性能に関する情報のみを保持し、上記逆方向のセットアップメッセージを転送し、処理はステップＳ１０３３へと進む。上記性能のいずれもサポートされていない場合、処理はステップＳ１０４へと進む。
【００８０】
Ｓ１０３３：Ｓ−ＰＥにより順々に転送されてきた逆方向のセットアップメッセージを受信すると、始端側のＵ―ＰＥは、保持された性能に関する情報がローカルにサポートされているかどうか判定する。保持された性能のすべてまたは一部がサポートされている場合、Ｕ−ＰＥは、ローカルポリシーに基づいて設定されたサポートされた性能情報で、対応するＭＳ−ＰＷメンテナンス動作を行うと決定する。保持された性能のいずれもサポートされていない場合、処理はステップＳ１０４へと進む。
【００８１】
順方向のセットアップメッセージおよび／または逆方向のセットアップメッセージはさらに、サポートされた障害検知メッセージタイプ性能に関する情報を含んでいる。Ｕ−ＰＥまたはＳ−ＰＥは、性能情報の基本的な共通点に基づき検知のためのサポートされた障害検知メッセージを選択する。例えば、図１に示すように、ＰＥ１がＢＦＤおよびＬＳＰ  ＰＩＮＧをサポートしている場合、ＰＥ２はＢＦＤをサポートし、ＰＥ３はＢＦＤおよびＬＳＰ  ＰＩＮＧをサポートしている。ＰＥ１からＰＥ３への順方向のＰＷがセットアップされたとき、ＰＥ１から送信された順方向のセットアップメッセージが、ＰＥ１はＢＦＤおよびＬＳＰ  ＰＩＮＧの２つの性能をサポートしていると示すＯＡＭ性能指示を保持している。順方向のセットアップメッセージを受信した際、ＰＥ２はＰＥ３へは、ＯＡＭ性能指示のうちＢＦＤ性能のみを保持する順方向セットアップメッセージを送信する。該順方向セットアップメッセージがＰＥ３へと到達すると、ＰＥ３はＢＦＤ性能を選択する。ＰＥ３からＰＥ１へ逆方向のＰＷがセットアップされると、ＰＥ３から送信される逆方向のセットアップメッセージに保持されるＯＡＭ性能指示は、以下の２つのうちいずれかのように構成することできる。すなわち、（１）ＰＥ３にサポートされているすべてのＯＡＭ性能（すなわち、ＢＦＤおよびＬＳＰ  ＰＩＮＧ）に関する情報を保持するように構成する、（２）順方向ＰＷセットアップ処理の間にＰＥ３に選択されたＯＡＭ性能（すなわちＢＦＤ）に関する情報を保持するように構成することのいずれかである。続く処理は、順方向ＰＷセットアップ処理時のＯＡＭ性能折衝の処理と同じである。
【００８２】
セグメントにより、インターフェイスパラメータ折衝処理が行われる。上記処理は、ＭＳ−ＰＷにおいてすべてのＰＥが少なくとも１つかつ同一の検知メッセージをサポートしていて、かつＳＥＧＭＥＮＴ  ＯＡＭまたはＥ２Ｅ  ＯＡＭ性能をサポートしている場合であって、各ＰＥがＥ２Ｅ  ＯＡＭ性能をサポートしている場合にはＦＩＮ性能をサポートする場合にのみ、達成することができる。そうでなければ、ＰＥは、インターフェイス性能折衝制御メッセージにおいて特定されたＯＡＭ性能がサポートされていないことを検知すると、上流側へのインターフェイス性能制御メッセージの送信を中断し、確立されたＰＷセグメントを切断する。
【００８３】
ＰＥは折衝結果を保持し、ＭＳ−ＰＷサービスにおいて処理を行う。該折衝結果がＳＥＧＭＥＮＴ  ＯＡＭの場合、次のＳＥＧＭＥＮＴ  ＯＡＭ処理が行われる。この説明を、図５を参照し行う。
【００８４】
Ｓ２０１：ＰＥ間で単方向または両方向のＳＳ−ＰＷ  ＶＣＣＶ検知メッセージを送ることにより、ＳＥＧ１、ＳＥＧ２、ＳＥＧ３、およびＳＥＧ４においてＳＳ−ＰＷ  ＯＡＭを行う。
【００８５】
該ＳＳ−ＰＷ  ＶＣＣＶ検知メッセージの制御ワードは、図３に示すフォーマットである。すなわち、識別子Ｔが存在する検知メッセージに設定されている（識別子Ｔの値が１の時、ＳＳ−ＰＷ  ＶＣＣＶ検知メッセージであると示す）。
【００８６】
ＭＳ−ＰＷに障害が起こった場合（図５に示すように、ＳＥＧ２に障害が起こった場合）、下流側のＳ−ＰＥ２は、周期的に送信されるＳＳ−ＰＷ  ＶＣＣＶ検知メッセージを受信することができなくなる。よって、下流側のＳ−ＰＥ２は、ＭＳ−ＰＷにおいて障害があると判断し、ステップＳ２０２を行う。
【００８７】
Ｓ２０２：Ｓ−ＰＥ２はＦＩＮメッセージを作成し、該ＦＩＮメッセージをＵ−ＰＥ２へ送信する。
【００８８】
ＦＩＮメッセージには、障害情報と、Ｓ−ＰＥ２のＩＰアドレスなどが含まれている。ＦＩＮメッセージの制御ワードは、同様に図３に示すフォーマットであり、識別子Ｆが設定されている。
【００８９】
Ｓ２０３：ＦＩＮメッセージを受信した際、Ｓ−ＰＥ３は何の処理も行わず、該ＦＩＮメッセージをＵ−ＰＥ２へと転送する。
【００９０】
Ｓ２０４：ＦＩＮメッセージを受信すると、Ｕ−ＰＥ２は、上記障害情報を得て、保護的切り替えをトリガーし、警告を抑制し警告報告などを行う。
【００９１】
図５に示すように、折衝結果がＥ２Ｅ  ＯＡＭを行うということである場合、ＳＥＧ１、ＳＥＧ２、ＳＥＧ３、およびＳＥＧ４のそれぞれにおいてＳＳ−ＰＷ  ＯＡＭが行われ、その結果Ｕ−ＰＥおよびＳ−ＰＥはＳＳ−ＰＷ  ＯＡＭを行うためにＳＳ−ＰＷ  ＶＣＣＶメッセージを送信する。
【００９２】
ＭＳ−ＰＷが正常に動作している場合、始端Ｕ−ＰＥは、Ｅｎｄ−ｔｏ―ＥｎｄのＶＣＣＶ検知メッセージを送信する。該Ｅｎｄ−ｔｏ−ＥｎｄのＶＣＣＶ検知メッセージの制御ワードも図３に示すようなフォーマットである。すなわち、識別子Ｔが存在する検知メッセージにおいて設定されている（例えば、Ｔの値が０の場合、Ｅｎｄ−ｔｏ−ＥｎｄのＶＣＣＶ検知メッセージであることを示す）。識別子Ｔ（値は０）を含む検知メッセージを受信すると、Ｓ−ＰＥ１、Ｓ−ＰＥ２、およびＳ−ＰＥ３は、処理を行うことなく、Ｕ−ＰＥ２に検知メッセージが届くまで、転送する。
【００９３】
ＢＦＤのみがサポートされている場合またはローカルポリシーに基づきＢＦＤメッセージが選ばれている場合、サポートされている検知メッセージのタイプにより、ＭＳ−ＰＷ用のＥｎｄ−ｔｏ−Ｅｎｄの障害検知方法は以下のステップを含む。
【００９４】
Ｓ３０１：ＭＳ−ＰＷのＵ−ＰＥ１は、Ｅｎｄ−ｔｏ−ＥｎｄのＭＳ−ＰＷ障害検知メッセージを、所定のトリガーする条件に基づきまたは所定の時間までに送信する。各Ｓ−ＰＥは、該Ｅｎｄ−ｔｏ−ＥｎｄのＭＳ−ＰＷ障害検知メッセージを受信し、順々にトランスペアレントに下流側へ送信する。
【００９５】
Ｓ３０２：Ｕ−ＰＥ２は、Ｅｎｄ−ｔｏ−ＥｎｄのＭＳ−ＰＷ障害検知メッセージを、上記所定のトリガーする条件に基づきまたは上記所定の時間までに、受信したかどうかを判定する。受信している場合、Ｕ−ＰＥ２は、ＭＳ−ＰＷは正常に作動していると判断する。受信していない場合、Ｕ−ＰＥ２はＭＳ−ＰＷに障害が起きていると判断する。
【００９６】
ＰＩＮＧパケット検知方法が選択されている場合、Ｅｎｄ−ｔｏ−Ｅｎｄ障害検知方法は次のステップを含む。
【００９７】
Ｓ４０１：ＭＳ−ＰＷのＵ−ＰＥ１は、Ｅｎｄ−ｔｏ−ＥｎｄのＭＳ−ＰＷ障害検知メッセージ送信する。各Ｓ−ＰＥは、該Ｅｎｄ−ｔｏ−ＥｎｄのＭＳ−ＰＷ障害検知メッセージを受信し、順々にトランスペアレントに下流側へＵ−ＰＥ２へと送信する。Ｕ−ＰＥ２は、Ｅｎｄ−ｔｏ−Ｅｎｄ障害検知メッセージを受信したら、Ｕ−ＰＥ１への返信メッセージを返す。
【００９８】
Ｓ４０２：Ｕ−ＰＥ１は、Ｅｎｄ−ｔｏ−Ｅｎｄの障害検知メッセージの返信時間を監視している。返信メッセージが上記返信時間がすぎるまえに受信されれば、Ｕ−ＰＥ１はＭＳ−ＰＷが正常に動作していると判断する。そうでない場合、Ｕ−ＰＥ１はＭＳ−ＰＷに障害が起こっていると判断する。
【００９９】
本発明の実施形態に対して、当業者は本発明の範囲で種々の変更が可能である。すなわち、クレームまたはその相当部分に示した範囲で種々の変更をした場合、このような種々の変更は本発明に含まれるものとする。
【図面の簡単な説明】
【０１００】
【図１】ＳＳ−ＰＷおよびＭＳ−ＰＷをカバーするＰＷモデルの概略図である。
【図２】従来の帯域内ＯＡＭメッセージの制御ワード構造を示す図である。
【図３】本発明の一実施形態において、ＦまたはＴの識別子を含むように拡張された帯域内ＯＡＭメッセージの制御ワード構造の概略図である。
【図４】本発明の一実施形態において用いられるＦＩＮメッセージフォーマットの概略図である。
【図５】本発明の一実施形態において用いられるＥｎｄ−ｔｏ−ＥｎｄのＭＳ−ＰＷ  ＯＡＭの概略図である。
【図６】本発明の一実施形態におけるＯＡＭ性能折衝のために用いられるＶＣＣＶ制御メッセージのフォーマットの概略図である。
【図１】
2008532444.tif 000003
【図２】
2008532444.tif 000004
【図３】
2008532444.tif 000005
【図４】
2008532444.tif 000006
【図５】
2008532444.tif 000007
【図６】
2008532444.tif 000008
【手続補正書】
【提出日】平成19年9月6日(2007.9.6)
【手続補正１】
【補正対象書類名】特許請求の範囲
【補正対象項目名】全文
【補正方法】変更
【補正の内容】
【特許請求の範囲】
【請求項１】
マルチセグメント疑似ワイヤのための終端間障害検知方法であって、
所定のトリガー条件に基づきまたは所定の時間までに、マルチセグメント疑似ワイヤ（ＭＳ―ＰＷ）の第１の終端プロバイダ装置（Ｕ−ＰＥ１）が、終端間障害検知メッセージを送信するステップと、
各切り替えＰＥ（Ｓ−ＰＥ）が、該終端間障害通知検知メッセージを受信し、下流側へ順々にトランスペアレントに送信するステップと、
第２の終端プロバイダ装置（Ｕ−ＰＥ２）が、上記所定のトリガー条件に基づきまたは所定の時間までに送信された上記終端間障害検知メッセージが受信されなかった場合、上記ＭＳ−ＰＷに障害が起こっていると判断するステップとを含む障害検知方法。
【請求項２】
前記終端間障害検知メッセージは、受信したメッセージが終端間障害検知メッセージであるかどうかを識別するために使われる第１の識別情報を含む、請求項１に記載の方法。
【請求項３】
マルチセグメント疑似ワイヤのための終端間障害検知方法であって、
マルチセグメント疑似ワイヤ（ＭＳ−ＰＷ）の第１の終端プロバイダ装置（Ｕ−ＰＥ１）が、終端間障害検知メッセージを送信するステップと、
各切り替えＰＥ（Ｓ−ＰＥ）が、上記終端間障害検知メッセージを受信し、下流側の第２の終端プロバイダ装置（Ｕ−ＰＥ２）へ順々に該終端間障害通知検知メッセージをトランスペアレントに送信するステップと、
Ｕ−ＰＥ２が、上記終端間障害検知メッセージが受信した際に、Ｕ−ＰＥ１へ返信メッセージを返すステップと、
上記返信メッセージが、上記終端間障害検知メッセージの返信時間を超える前に受信されなかった場合、ＭＳ−ＰＷに障害があると判断するステップとを含む障害検知方法。
【請求項４】
前記終端間障害検知メッセージは、受信したメッセージが終端間障害検知メッセージであるかどうかを識別するために使われる第１の識別情報を含む、請求項３に記載の方法。
【請求項５】
マルチセグメント疑似ワイヤのための障害報告方法であって、
マルチセグメント疑似ワイヤ（ＭＳ−ＰＷ）のシングルセグメント疑似ワイヤ（ＳＳ−ＰＷ）に含まれる切り替えプロバイダ装置（Ｓ−ＰＥ）が、上記ＳＳ−ＰＷに障害が起こったと判断した場合、該Ｓ−ＰＥが障害情報を保持する障害通知メッセージを作成し、下流側へ送信するステップと、
下流側の各Ｓ−ＰＥが、上記障害通知メッセージを終端プロバイダ装置（Ｕ−ＰＥ）へトランスペアレントに順次転送する、または、下流側の終端プロバイダ装置（Ｕ−ＰＥ）が前記障害通知メッセージを受信するステップと、
Ｕ−ＰＥが障害通知メッセージから障害情報を得るステップとを含む障害報告方法。
【請求項６】
Ｓ−ＰＥがＳＳ−ＰＷに障害があると判断するのは、
上記ＳＳ−ＰＷの一端に接続されているプロバイダ装置（ＰＥ）が、所定のトリガー条件に基づきまたは所定の時間までに、シングルセグメントの障害検知メッセージを他端に送信し、シングルセグメントの障害検知メッセージが受信されていなければ、ＳＳ−ＰＷに障害が起こっていると判断する場合、または、
上記ＳＳ−ＰＷの一端に接続されているプロバイダ装置（ＰＥ）が、他端にシングルセグメントの障害検知メッセージを送信し、上記シングルセグメントの障害検知メッセージに対する上記他端からの返信メッセージが事前に設定された時間内に受信されなければ、ＳＳ−ＰＷに障害が起こっていると判断する場合である、請求項５に記載の方法。
【請求項７】
トンネル障害、ＰＷ状態通知障害、またはローカルＰＥ障害を検知したとき、Ｓ−ＰＥが、障害情報を保持する障害通知メッセージを作成し、上記障害通知メッセージを下流側へ送信するステップをさらに含む、請求項５に記載の方法。
【請求項８】
上記障害通知メッセージは、受信したメッセージが障害通知メッセージであるかどうかを識別するために使われる第２の識別情報を含み、かつ／または、
上記シングルセグメントの障害検知メッセージは、受信したメッセージがシングルセグメントの障害検知メッセージであるかどうかを識別するために使われる第３の識別情報を含む、請求項６または７に記載の方法。
【請求項９】
障害情報は障害タイプ情報および障害位置情報を含んでいる、請求項８に記載の方法。
【請求項１０】
マルチセグメントの疑似ワイヤのメンテナンス折衝制御方法であって、
始端側の終端プロバイダ装置（Ｕ−ＰＥ）が、前記始端側のＵ−ＰＥによってサポートされた障害情報報告性能および障害検知性能に関する情報を含んだ、マルチセグメント疑似ワイヤ（ＭＳ−ＰＷ）の順方向セットアップメッセージを作成するステップＢ１と、
各切り替えプロバイダ装置（Ｓ−ＰＥ）が上記順方向セットアップメッセージを順次受信し、上記障害情報報告性能がローカルにサポートされているかどうか、および、上記障害検知性能がローカルに部分的にサポートされているかどうかを判断し、上記障害情報報告性能および障害検知性能のすべてまたは一部がサポートされている場合、上記順方向セットアップメッセージ中のローカルにサポートされている性能に関する情報のみを保持し、上記順方向セットアップメッセージを転送し、ステップＢ３に進み、上記障害情報報告性能および障害検知性能のいずれもサポートされていない場合、ステップＢ４に進むステップＢ２と、
上記順方向セットアップメッセージを受信したときに、末端側のＵ−ＰＥが保持された性能がローカルにサポートされているかどうか判断し、上記保持された性能のすべてまたは一部がサポートされている場合、ローカルポリシーに基づき設定されたサポートされた性能情報におけるＭＳ−ＰＷメンテナンス動作を行い、上記保持された性能のいずれもサポートされていない場合、ステップＢ４へと進むステップＢ３と、
確立されたＰＷセグメントを切断するステップＢ４とを含む、メンテナンス折衝方法。
【請求項１１】
上記ステップＢ３およびＢ４の間に、
末端側のＵ−ＰＥが、末端側のＵ−ＰＥにサポートされた障害情報報告性能および障害検知性能に関する情報を保持するまたはサポートされた性能情報セットを保持する、ＭＳ−ＰＷの逆方向セットアップメッセージを始端側のＵ−ＰＥへ送信するステップＢ３１と、
各Ｓ−ＰＥが、上記逆方向のセットアップメッセージを順次受信し、上記障害情報報告性能がローカルにサポートされているかどうか、および障害検知性能がローカルに部分的にサポートされているかどうかを判定し、上記障害情報報告性能および障害検知性能のすべてまたは一部がサポートされていた場合、上記逆方向のセットアップメッセージ中のローカルにサポートされた性能に関する情報のみを保持し、上記逆方向セットアップメッセージを転送し、ステップＢ３３へ進み、上記障害情報報告性能および障害検知性能のすべてまたは一部がサポートされていない場合、ステップＢ４へとすすむステップＢ３２と、
上記逆方向のセットアップメッセージを受信し、末端側のＵ−ＰＥが保持された性能がローカルにサポートされているかどうかを判断し、上記保持された性能のすべてまたは一部がサポートされている場合、ローカルポリシーに基づき設定されたサポートされた性能情報におけるＭＳ−ＰＷメンテナンス動作を行い、上記保持された性能のいずれもサポートされていない場合、ステップＢ４へと進むステップＢ３３とを含む、請求項１０に記載の方法。
【請求項１２】
障害情報報告性能とは、シングルセグメント疑似ワイヤ（ＳＳ−ＰＷ）に障害が起こった場合、該ＳＳ−ＰＷに含まれるＵ−ＰＥまたはＳ−ＰＥが障害情報を保持する障害通知メッセージを作成し下流側のＳ−ＰＥまたはＵ−ＰＥへ送信し、障害通知メッセージを特定し処理することができるということであり、
障害検知性能とは、Ｕ−ＰＥまたはＳ−ＰＥは、ＭＳ−ＰＷのための終端間障害検知メッセージとプロバイダ装置（ＰＥ）間で送信されるシングルセグメント障害検知メッセージの両方または一方を特定し処理することができるということである、請求項１１に記載の方法。
【請求項１３】
すべてのＵ−ＰＥおよびＳ−ＰＥが上記障害情報報告性能をサポートしており、終端間障害検知メッセージを特定および処理できる場合、
ＭＳ−ＰＷのシングルセグメント疑似ワイヤ（ＳＳ−ＰＷ）に含まれている切り替えプロバイダ装置（Ｓ−ＰＥ）が上記ＳＳ−ＰＷに障害が起こっていると判断した場合、上記Ｓ−ＰＥが、障害情報を保持する障害通知メッセージを作成し、下流側へ送信し、
下流側の各Ｓ−ＰＥが、上記障害通知メッセージをＵ−ＰＥへトランスペアレントに順次転送する、または、下流側のＵ−ＰＥが前記障害通知メッセージを受信し、
Ｕ−ＰＥが障害通知メッセージから障害情報を得て、上記障害情報に基づきＭＳ−ＰＷのメンテナンスを行うことにより、上記ＭＳ−ＰＷが維持される請求項１２に記載の方法。
【請求項１４】
上記ＳＳ−ＰＷに含まれるＳ−ＰＥがＳＳ−ＰＷに障害があると判断するのは、
上記ＳＳ−ＰＷの一端に接続されているＰＥが、所定のトリガー条件に基づきまたは所定の時間までに、シングルセグメントの障害検知メッセージを他端に送信し、シングルセグメントの障害検知メッセージが所定のトリガー条件に基づきまたは所定の時間までに受信されていなければ、ＳＳ−ＰＷに障害が起こっていると判断する場合、または、
上記ＳＳ−ＰＷの一端に接続されているＰＥが、他端にシングルセグメントの障害検知メッセージを送信し、上記シングルセグメントの障害検知メッセージに対する上記他端からの返信メッセージが事前に設定された時間内に受信されなかったならば、ＳＳ−ＰＷに障害が起こっていると判断する場合である、請求項１３に記載の方法。
【請求項１５】
トンネル障害、ＰＷ状態通知障害、またはローカルＰＥ障害を検知したとき、Ｓ−ＰＥが、障害情報を保持する障害通知メッセージを作成し、上記障害通知メッセージを下流側へ送信するステップをさらに含む、請求項１４に記載の方法。
【請求項１６】
すべてのＵ−ＰＥおよびＳ−ＰＥは終端間障害検知メッセージのみをサポートしている場合、
所定のトリガー条件に基づきまたは所定の時間までに、ＭＳ−ＰＷの第１の終端プロバイダ装置（Ｕ−ＰＥ１）が終端間障害検知メッセージを送信し、
各Ｓ−ＰＥが、該終端間障害通知検知メッセージを受信し、下流側へ順々にトランスペアレントに送信し、
第２の終端プロバイダ装置（Ｕ−ＰＥ２）が、上記所定のトリガー条件に基づきまたは所定の時間までに上記終端間障害検知メッセージが受信されていなかった場合、上記ＭＳ−ＰＷに障害が起こっていると判断することにより、上記ＭＳ−ＰＷは維持される請求項１１に記載の方法。
【請求項１７】
すべてのＵ−ＰＥおよびＳ−ＰＥは終端間障害検知メッセージのみをサポートしている場合、
ＭＳ−ＰＷの第１の終端プロバイダ装置（Ｕ−ＰＥ１）が、終端間障害検知メッセージを送信し、
各Ｓ−ＰＥが、上記終端間障害検知メッセージを受信し、下流側の第２の終端プロバイダ装置（Ｕ−ＰＥ２）へ順々に該終端間障害通知検知メッセージをトランスペアレントに送信し、
Ｕ−ＰＥ２が、上記終端間障害検知メッセージが受信した際に、Ｕ−ＰＥ１へ返信メッセージを返し、
上記返信メッセージが、上記終端間障害検知メッセージの返信時間を超える前に受信さなかった場合、ＭＳ−ＰＷに障害があると判断することにより、上記ＭＳ−ＰＷは維持される請求項１１に記載の方法。
【請求項１８】
上記順方向のセットアップメッセージと逆方向のセットアップメッセージの両方または一方はさらに、サポートされた障害検知性能に関する情報を含み、Ｕ−ＰＥまたはＳ−ＰＥは、性能情報の基本的な共通点に基づき検知のためのサポートされた障害検知メッセージを選択する、請求項１３、１６、または１７に記載の方法。
【請求項１９】
前記終端間障害検知メッセージは、受信したメッセージが終端間障害検知メッセージであるかどうかを識別するために使われる第１の識別情報を含み、かつ／または、
上記障害通知メッセージは、受信したメッセージが障害通知メッセージであるかどうかを識別するために使われる第２の識別情報を含み、かつ／または、
上記シングルセグメントの障害検知メッセージは、受信したメッセージがシングルセグメントの障害検知メッセージであるかどうかを識別するために使われる第３の識別情報を含む、請求項１２に記載の方法。
【請求項２０】
障害情報は障害タイプ情報および障害位置情報を含んでいる、請求項１３に記載の方法。
【請求項２１】
マルチセグメント疑似ワイヤ（ＭＳ−ＰＷ）における障害情報通知（ＦＩＮ）メッセージであって、
メッセージが障害情報通知メッセージであるかどうか特定するために用いられる第２の識別情報を含むヘッダーと、
メッセージが障害情報報告に用いられるかどうかを特定するために用いられるＦＩＮメッセージタイプ指示、障害位置を特定するのに用いられる障害位置情報、および、障害タイプを特定するために用いられる障害タイプ情報を含むペイロードとを含む、障害情報通知メッセージ。
【請求項２２】
上記ヘッダーがトランスポートトンネルラベルおよび疑似ワイヤラベルをさらに含む、請求項２１に記載の障害情報通知メッセージ。
【国際調査報告】
2008532444.tif 000009
2008532444.tif 000010
2008532444.tif 000011
2008532444.tif 000012
2008532444.tif 000013
2008532444.tif 000014
2008532444.tif 000015
2008532444.tif 000016